(57)【要約】  ＣＣ間およびアンテナポート間でＳＲＳを同時送信する際において、ＣＣ間でＳＲＳ送信に設定されたアンテナポート数が異なる場合に、Ｄ／Ａコンバータのビット丸め誤差の影響が大きくなることを回避する無線通信端末装置。この装置において、送信電力計算部（１０７）は、複数ＣＣおよび複数アンテナポートの複数ＵＬチャネルの送信電力を計算する。電力スケーリング検出部（１０８）は、複数ＣＣおよび複数アンテナポートで送信されるＵＬチャネルの送信電力合計値がＵＥ固有の最大送信電力を超えるか否かを検出する。電力スケーリング制御部（１０９）は、電力スケーリングが発生した場合には、ＣＣ間でＳＲＳの送信に設定されているアンテナポート設定情報に基づいて、トータルのスケーリングウェイトが、ＣＣ間、または、ＣＣ間およびアンテナポート間で、一様となるように電力スケーリングを行う。
2012093455.tif 000002
【特許請求の範囲】
【請求項１】
キャリアアグリゲーションを構成する複数のコンポーネントキャリアおよび複数アンテナポートの複数の上り回線チャネルの送信電力を計算する送信電力計算手段と、
計算された前記送信電力を用いて、前記複数のコンポーネントキャリアおよび前記複数アンテナポートで送信される上り回線チャネルの送信電力の合計値が自装置に固有の最大送信電力を超えて電力スケーリングが発生するか否かを検出する電力スケーリング検出手段と、
電力スケーリングが発生すると検出され、かつ、コンポーネントキャリア間で参照信号の送信に設定されているアンテナポートを用いて複数の参照信号を送信する場合、コンポーネントキャリア間で参照信号の送信に設定されているアンテナポート数、アンテナポート位置、または、アンテナポート番号に基づいて、複数アンテナ送信のためのスケーリングウェイトを加味したトータルのスケーリングウェイトが、コンポーネントキャリア間、または、コンポーネントキャリア間およびアンテナポート間で、一様となるように電力スケーリングを行う電力スケーリング制御手段と、
を具備する無線通信端末装置。
【請求項２】
前記電力スケーリング制御手段において、アンテナポート間のスケーリングウェイトが、参照信号の送信に設定されている全コンポーネントキャリアおよび全アンテナポートの参照信号数分の１である、
請求項１に記載の無線通信端末装置。
【請求項３】
前記電力スケーリング制御手段は、コンポーネントキャリア間のスケーリングウェイトと、参照信号の送信に設定されている全コンポーネントキャリアおよび全アンテナポートの参照信号数分の１であるアンテナポート間のスケーリングウェイトとを乗算することで算出される、トータルのスケーリングウェイトを、全参照信号の電力スケーリングに適用する、
請求項２に記載の無線通信端末装置。
【請求項４】
前記電力スケーリング制御手段は、参照信号ＳＲＳを同時送信しているアンテナポート、アンテナポート番号、または、物理アンテナに対してだけ、複数アンテナ送信のためのスケーリングウェイトを加味したトータルの一様スケーリングウェイトを適用することで、電力スケーリングを行う、
請求項１に記載の無線通信端末装置。
【請求項５】
前記電力スケーリング制御手段において、アンテナポート間のスケーリングウェイトが、該当アンテンポート、または、該当物理アンテナでの参照信号の送信に設定されている参照信号数分の１である、
請求項４に記載の無線通信端末装置。
【請求項６】
キャリアアグリゲーションを構成する複数のコンポーネントキャリアおよび複数アンテナポートの複数の上り回線チャネルの送信電力を計算する送信電力計算工程と、
計算された前記送信電力を用いて、前記複数のコンポーネントキャリアおよび前記複数アンテナポートで送信される上り回線チャネルの送信電力の合計値が自装置に固有の最大送信電力を超えて電力スケーリングが発生するか否かを検出する電力スケーリング検出工程と、
電力スケーリングが発生すると検出され、かつ、コンポーネントキャリア間で参照信号の送信に設定されているアンテナポートを用いて複数の参照信号を送信する場合、コンポーネントキャリア間で参照信号の送信に設定されているアンテナポート数、アンテナポート位置、または、アンテナポート番号に基づいて、複数アンテナ送信のためのスケーリングウェイトを加味したトータルのスケーリングウェイトが、コンポーネントキャリア間、または、コンポーネントキャリア間およびアンテナポート間で、一様となるように電力スケーリングを行う電力スケーリング制御工程と、
を具備する電力制御方法。
【発明の詳細な説明】
【技術分野】
【０００１】
本発明は、無線通信端末装置及び電力制御方法に関する。
【背景技術】
【０００２】
3GPP (3rd Generation Partnership Project)において、LTE-advanced（以下、「ＬＴＥ−Ａ」と省略する）の検討が進められている。ＬＴＥ−Ａでは、キャリアアグリゲーション（ＣＡ：Carrier Aggregation）という帯域拡張技術の導入の検討がなされている。ＬＴＥ−ＡのＣＡでは、２０ＭＨｚ等から構成される１つの単位キャリア（ＣＣ：Component Carrier）を複数束ねる。これにより、ＬＴＥ−ＡのＣＡでは、複数のキャリアをアグリゲーションし、高速伝送の実現を図るアプローチがダウンリンンク（ＤＬ：Downlink）及びアップリンク(ＵＬ：Uplink)チャネルで取られる。ＬＴＥ−Ａでは、５個のＣＣの導入、つまり、１００ＭＨｚまでの帯域拡張を視野に検討がなされている。【０００３】
そこで、ＵＬ ＣＡを対象とした送信電力制御方法の検討も同時になされている。ＬＴＥ−ＡのＵＬ送信電力制御の検討において、以下の事項（Ａ）〜（Ｃ）が合意されている。（Ａ）ＣＣ個別（CC-specific）に送信電力の制御が行われる。（Ｂ）ＣＣ個別の（各ＵＬチャネルに対する）最大送信電力Ｐｃｍａｘ、ｃ、及び、ＵＥ（User Equipment）固有の（UE-specific）最大総送信電力Ｐｃｍａｘ（複数ＣＣでの合計最大送信電力上限値）を設けている。そして、１ＣＣ内で送信される各ＵＬチャネルの送信電力が、ＣＣ個別の（各ＵＬチャネルに対する）最大送信電力を超えた場合、ＵＬチャネルの送信電力を低減する電力スケーリングという制御が行われる。また、１ＣＣ内で送信される各ＵＬチャネルの送信電力が、複数ＵＬチャネルの同時送信時に、複数（全）ＣＣで送信されるＵＬチャネル送信電力合計値がＵＥ固有の最大送信電力を超えた場合（power limitationになった場合）にも電力スケーリングが行われる。（Ｃ）ＵＬ ＣＡにおいて、複数ＵＬチャネルの同時送信時にpower limitationになり、電力スケーリングが発生した場合における、複数ＵＬチャネルに対する電力割当優先度ルールは以下のように合意されている。
ＰＵＣＣＨ＞ＰＵＳＣＨ with ＵＣＩ＞ＰＵＳＣＨ without ＵＣＩ【０００４】
ここで、ＰＵＣＣＨはPhysical Uplink Control CHannel、ＰＵＳＣＨはPhysical Uplink Shared CHannelである。ＵＣＩはUplink Control Informationの略語であり、具体的には以下の制御情報等がある。即ち、ＡＣＫ／ＮＡＣＫ（Acknowledgment/Non Acknowledgment）、ＲＩ（Rank Indicator）、ＣＱＩ（Channel Quality Information）、ＰＭＩ（Pre-coding Matrix Indicator）、ＣＳＩ（Channel State Information）等がある。ＣＳＩ、ＣＱＩ等の情報の送信には、ピリオディック（periodic）とアペリオディック（aperiodic）な送信方法がある。【０００５】
ここで、ＰＵＳＣＨ with ＵＣＩは、ＵＣＩを多重するＰＵＳＣＨのことを示し、ＰＵＳＣＨ without ＵＣＩは、ＵＣＩを多重しないＰＵＳＣＨのことを示す。従って、複数ＵＬチャネルの同時送信時に電力スケーリングが発生した場合には、第１にＰＵＣＣＨの送信電力、第２にＵＣＩを多重するＰＵＳＣＨの送信電力、第３にＵＣＩを多重しないＰＵＳＣＨの送信電力に順番に送信電力を割り当てる。このルールは、これらの各チャネルが同一ＣＣ内に存在するか、または異なるＣＣに存在するかにかかわらず適用される。【０００６】
また、ＵＣＩが多重されないＰＵＳＣＨ（ＰＵＳＣＨ without ＵＣＩ）が複数存在し、複数（全）ＣＣで送信されるＵＬチャネルの送信電力合計値がＵＥ固有の最大送信電力を超えた場合には、複数のＰＵＳＣＨ without ＵＣＩを一様に電力スケーリングする端末動作が用いられる。即ち、ＣＣ個別に電力制御されている複数ＰＵＳＣＨ without ＵＣＩの送信電力に対して、ＣＣ間で同じスケーリングウェイト（ｗ＿Ｃ（≦１））を乗算することにより、電力スケーリングを行う。【０００７】
更に、ＣＱＩ等の伝搬路の品質を測定する（sounding）ために用いられる、ピリオディック又はアペリオディックＳＲＳ（Sounding Reference Symbol）に関連するＣＡにおける電力スケーリング発生時の電力割当ルールも検討されている。【０００８】
例えば、非特許文献１および非特許文献２において、複数ＣＣ間で同時送信する複数ＳＲＳの総送信電力がＵＥ固有の最大総送信電力を超えた（power limitationになった）場合の、電力スケーリング方法が記載されている。具体的には、ＵＣＩが多重されないＰＵＳＣＨに対するＣＣ間での一様スケーリングウェイト（ｗ＿Ｃ）を再利用し、そのウェイトを複数ＳＲＳの送信電力に乗算することにより、ＣＣ間の複数ＳＲＳに対するスケーリング処理を行う。これにより、複数ＣＣでのＳＲＳ同時送信時にpower limitationになった場合においても、このルールに従い、端末は各ＣＣのＳＲＳの送信電力を適切に決定することができる。ＳＲＳの送信電力は、ＰＵＳＣＨの送信電力にオフセットを与えることで設定されるため、ＰＵＳＣＨ without ＵＣＩに対するスケーリングウェイト（ｗ＿Ｃ）をＳＲＳに適用する上記方法は、親和性の高いアプローチである。【０００９】
一方で、ＬＴＥ−ＡのＵＬ伝送において、ＣＡと伴に、複数アンテナを用いるＭＩＭＯ（Multi-Input Multi-Output）伝送の導入が決定されている。ＵＬ-ＭＩＭＯにおける送信電力制御では、ＣＣ毎に制御された送信電力を、ＣＣ毎に設定（configure）されているアンテナポートに対して等しく配分（ＣＣ毎に制御されている送信電力を一様にスケーリングして、各アンテナに分配）する。これにより、各アンテナポートから送信されるＵＬチャネルの送信電力を決定する。例えば、図１に示すように、２アンテナポートがconfigureされている場合においては、ＣＣ毎に送信電力制御された該当ＣＣにおける（総）送信電力（Ｐ０）を２分割し（該当ＣＣにおける（総）送信電力にアンテナポート軸のスケーリングウェイトｗ＿Ａ＝１／２（≦１）を乗算し）、スケーリング後の送信電力を２つのアンテナそれぞれに等しく配分する。【００１０】
従って、ＣＡと複数アンテナ（ＭＩＭＯ、ダイバーシチ等）送信を併用する際には、ＣＣ（周波数）軸でのＣＣ個別電力制御と、アンテナポート（空間）軸での電力スケーリング処理を行う。これにより、複数ＣＣと複数アンテナを用いて同時送信する複数のＵＬチャネルの各送信電力を決定する。まず、（１）ＣＣ（周波数）軸において、ＣＣ毎に複数アンテナで送信するＵＬチャネルの総送信電力（送信電力合計値）を制御する。次に、（２）アンテナポート（空間）軸において、（１）で決定した（制御された）ＣＣ毎の総送信電力をconfigureされているアンテナポートに等しく配分する。【００１１】
以上より、ＣＡにおける複数ＳＲＳに対するpower limitation時の電力スケーリング方法である非特許文献１及び非特許文献２と、上記した複数アンテナ時のアンテナポート軸での等電力配分（電力スケーリング）方法を組み合わせる。これにより、ＣＡと複数アンテナ（ＭＩＭＯ、ダイバーシチ等）送信を併用する際に、複数ＣＣおよび複数アンテナポートから送信する全ＳＲＳの総送信電力がＵＥ個別の最大送信電力を超えた場合（power limitationになった場合）の電力スケーリング規則を作り出すことができる。（１）複数ＰＵＳＣＨ  ｗｉｔｈｏｕｔ  ＵＣＩに対するＣＣ間の電力スケーリングウェイト（ｗ＿Ｃ）を用いて、ＣＣ（周波数）間でＳＲＳの送信電力を一様にスケーリング。（２）ＣＣ間でのスケーリング後のＣＣ毎の送信電力に、アンテナポート軸のスケーリングウェイトｗ＿Ａを乗算し、アンテナポート間で等電力配分する。【００１２】
図２は、ＣＣ数=２、各ＣＣで２つのアンテナポートがＳＲＳの送信にconfigureされている場合を示している。上記の規則（１）により、まず、ＣＣ＃０およびＣＣ＃１それぞれで制御されている送信電力Ｐ０およびＰ１に対して、複数ＰＵＳＣＨ  ｗｉｔｈｏｕｔ  ＵＣＩに対するＣＣ間の一様電力スケーリングウェイト（ｗ＿Ｃ）を乗算する。これにより、ＣＣ＃０およびＣＣ＃１の送信電力を（ｗ＿Ｃ×Ｐ０）および（ｗ＿Ｃ×Ｐ１）に低減する。【００１３】
次に、上記の規則（２）により、アンテナポート軸の一様スケーリングウェイト（ｗ＿Ａ＝１／２）を用いて、ＣＣ＃０のアンテナポート＃２０、ＣＣ＃０でアンテナポート＃２１、ＣＣ＃１のアンテナポート＃２０、ＣＣ＃１でアンテナポート＃２１のそれぞれの送信電力を、（ｗ＿Ｃ×ｗ＿Ａ×Ｐ０）、（ｗ＿Ｃ×ｗ＿Ａ×Ｐ０）、（ｗ＿Ｃ×ｗ＿Ａ×Ｐ１）、（ｗ＿Ｃ×ｗ＿Ａ×Ｐ1）に決定する。
【先行技術文献】
【非特許文献】
【００１４】
【非特許文献１】R1-106131, SRS power control issue, 3GPP TSG RAN WG1 #63 meeting, Jacksonville, USA, 15th - 19th, November, 2010
【非特許文献２】R1-106195, Remaining issues on uplink power control, 3GPP TSG RAN WG1 #63 meeting, Jacksonville, USA, 15th - 19th November 2010
【非特許文献３】3GPP TS 36.213 V8.8.0 (2009-09)
【発明の概要】
【発明が解決しようとする課題】
【００１５】
しかしながら、非特許文献１及び非特許文献２に開示の技術、および、上記した組合せによる従来技術では、以下に示す課題が生じる。すなわち、ＣＣ間でＳＲＳ送信にconfigureされたアンテナポート数が異なる場合、ＣＣ間およびアンテナポート間でのトータルのスケーリングウェイトがＣＣ間で異なってしまう。つまり、ＳＲＳ送信にconfigureされたアンテナポート数が多いＣＣと、ＳＲＳ送信にconfigureされたアンテナ数が少ないＣＣ間で、一様ではない電力スケーリングがなされてしまう。【００１６】
図３は、ＣＣ＃０では２つのアンテナポートがＳＲＳ送信にconfigureされており、ＣＣ＃０では１つのアンテナポートがＳＲＳ送信にconfigureされている場合を示している。この場合、図２で説明した上記組合せによる従来技術を用いると、ＣＣ＃０のアンテナポート＃２０および＃２１ではＣＣ＃０で制御されている送信電力Ｐ０に対して（ｗ＿Ｃ×ｗ＿Ａ＝ｗ＿Ｃ／２）のトータルのウェイトでスケーリングし、ＣＣ＃１のアンテナポート＃１０ではＣＣ＃１で制御されている送信電力Ｐ１に対して（ｗ＿Ｃ）のウェイトでスケーリングを行う。【００１７】
従って、ｗ＿Ａ≦１であるため、アンテナポート間電力スケーリング（ＣＣ＃０のアンテナポート間での等電力配分）前のＣＣ間での送信電力差（ｗ＿Ｃ×｜Ｐ１−Ｐ０｜）と比較すると、ＣＣ間及びアンテナポート間電力スケーリング後のＣＣ間での送信電力差（ｗ＿Ｃ×｜Ｐ１−ｗ＿Ａ×Ｐ０｜＝ｗ＿Ｃ×｜Ｐ１−Ｐ０／２｜）は増加してしまう。つまり、ｗ＿Ｃ×｜Ｐ１−Ｐ０｜  ＜  ｗ＿Ｃ×｜Ｐ１−ｗ＿Ａ×Ｐ０｜の関係になる。【００１８】
このようにＣＣ間での電力差が増加してしまうと、複数ＳＲＳを同時にディジタル信号からアナログ信号へ変換するＤ／Ａコンバータの（Digital-Analog converter）のビット丸め誤差の影響が大きくなってしまうという課題が発生する。即ち、送信電力の大きなＳＲＳ信号が歪まないようにＤ／Ａコンバータのダイナミックレンジを設定すると、送信電力の小さい信号をＤ／Ａコンバータにおいて正しく表現できなくなってしまう（誤差が大きくなってしまう）。【００１９】
特に、1つのＤ／Ａコンバータで複数の信号を同時にディジタル信号からアナログ信号へ変換する端末構成の場合などに上記課題がより大きくなってしまう。例えば、２ＣＣで送信する２つのＳＲＳに対して１つのＩＦＦＴ（Inverse Fast Fourier Transform）を適用した後、ＩＦＦＴ出力信号をＤ／Ａコンバータに入力するような構成の場合などが該当する。【００２０】
ここで、３ＧＰＰで定義されているアンテナポート（番号）という技術的概念と、物理アンテナ、Ｄ／Ａコンバータとの（端末における位置）関係を図４を用いて簡単に説明し、課題について補足する。【００２１】
図４は、アンテナポート数＝１の場合及びアンテナポート数＝２の場合をそれぞれ示している。また、図４は、それぞれの場合において、端末でのＤ／Ａコンバータの実装位置の違い（（ａ）Implementation based precodingの前、（ｂ）Implementation based precodingの後）で２つの構成を示している。物理アンテナ数＝２の場合を示している。【００２２】
（ａ１）はアンテナポート数＝１およびＤ／Ａコンバータの実装位置がImplementation based precodingの前の場合を示している。（ｂ１）はアンテナポート数＝１およびＤ／Ａコンバータの実装位置がImplementation based precodingの後の場合を示している。（ａ２）はアンテナポート数＝２およびＤ／Ａコンバータの実装位置がImplementation based precodingの前の場合を示している。（ｂ２）はアンテナポート数＝２およびＤ／Ａコンバータの実装位置がImplementation based precodingの後の場合を示している。【００２３】
Implementation based precodingとは、端末の実装に依存したprecoding（ビームフォーミング、セクタービームなど）処理を行う部分であり、一例としては、図４に示すような、プレコーディング行列（Ｆ（Ｆ０、Ｆ１）、Ｇ（Ｇ０、Ｇ１、Ｇ２）等）を用いることもできる。【００２４】
ここで、図３の場合に相当する、ＣＣ＃０で２アンテナポートがＳＲＳ送信にconfigureされ、ＣＣ＃１では１アンテナポートがＳＲＳ送信にconfigureされている場合を一例として考える。さらに、ＣＣ＃０では（ｂ２）のＤ／Ａコンバータの実装位置およびImplementation based precoding行列Ｇ０（単位行列）を用い、ＣＣ＃１では（ｂ１）のＤ／Ａコンバータの実装位置およびImplementation based precoding行列Ｆ０を用いる場合を考える。この場合、ＣＣ＃０およびＣＣ＃１とも、各アンテナポートに入力される信号は、implementation precodingによって異なるアンテナポートに入力される信号と合成されず、Ｄ／Ａコンバータへそれぞれ出力される。従って、同一のＤ／Ａコンバータに複数の信号（ＣＣ＃０の信号及びＣＣ＃１の信号）が入力されることになるため、１つのＤ／Ａコンバータで複数の信号を同時にディジタル信号からアナログ信号へ変換する構成になる。つまり、この構成において、Ｄ／Ａコンバータに複数の信号の電力差が大きい場合には上記した課題が発生することとなる。【００２５】
また、図３および図４を用いて説明した上記の例は、アンテナポートと物理アンテナが１対１に対応する場合に相当すると言う事もできる。【００２６】
なお、ＣＡ、または、複数アンテナ送信だけの場合は、上記従来技術を用いても、電力スケーリング処理に依る電力差の増加という現象は発生しないため、上記課題も発生しない。【００２７】
また、端末の複数アンテナから送信されるＳＲＳを用いて、基地局（eNB）は、端末の実装に依存しない標準化によって予め規定されているprecodingウェイト（例えば、３GPPのLTE（Long Term Evolution）、LTE-advancedでは、２送信アンテナを用いるＭＩＭＯ伝送の場合、ＤＦＴ（Discrete Fourier Transform）行列等のprecodingウェイトを用いる）から選択する。基地局が選択したpercodingウェイトの情報を端末に通知する場合、送信ＳＲＳに電力差があると正しいprecodingウェイトのビームパターンが選択できなくなるという課題も発生する（例えば、スループットを最大化する正しいprecodingウェイト選択できなくなる）。つまり、キャリアアグリゲーション及び複数アンテナ送信を併用する場合において、アンテナポート間でＳＲＳの送信電力を一様にスケーリングすることが重要となる。【００２８】
本発明の目的は、ＣＡおよび複数アンテナ送信を併用する場合においても、Ｄ／Ａコンバータによって（送信電力の大きな信号が歪ませず、かつ）送信電力の小さな信号のビット丸め誤差の影響が大きくなること回避できる、無線通信端末装置及び電力制御方法を提供することである。
【課題を解決するための手段】
【００２９】
本発明の無線通信端末装置は、キャリアアグリゲーションを構成する複数のコンポーネントキャリアおよび複数アンテナポートの複数の上り回線チャネルの送信電力を計算する送信電力計算手段と、計算された前記送信電力を用いて、前記複数のコンポーネントキャリアおよび前記複数アンテナポートで送信される上り回線チャネルの送信電力の合計値が自装置に固有の最大送信電力を超えて電力スケーリングが発生するか否かを検出する電力スケーリング検出手段と、電力スケーリングが発生すると検出され、かつ、コンポーネントキャリア間で参照信号の送信に設定されているアンテナポートを用いて複数の参照信号を送信する場合、コンポーネントキャリア間で参照信号の送信に設定されているアンテナポート数、アンテナポート位置、または、アンテナポート番号に基づいて、複数アンテナ送信のためのスケーリングウェイトを加味したトータルのスケーリングウェイトが、コンポーネントキャリア間、または、コンポーネントキャリア間およびアンテナポート間で、一様となるように電力スケーリングを行う電力スケーリング制御手段と、を具備する構成を採る。【００３０】
本発明の電力制御方法は、キャリアアグリゲーションを構成する複数のコンポーネントキャリアおよび複数アンテナポートの複数の上り回線チャネルの送信電力を計算する送信電力計算工程と、計算された前記送信電力を用いて、前記複数のコンポーネントキャリアおよび前記複数アンテナポートで送信される上り回線チャネルの送信電力の合計値が自装置に固有の最大送信電力を超えて電力スケーリングが発生するか否かを検出する電力スケーリング検出工程と、電力スケーリングが発生すると検出され、かつ、コンポーネントキャリア間で参照信号の送信に設定されているアンテナポートを用いて複数の参照信号を送信する場合、コンポーネントキャリア間で参照信号の送信に設定されているアンテナポート数、アンテナポート位置、または、アンテナポート番号に基づいて、複数アンテナ送信のためのスケーリングウェイトを加味したトータルのスケーリングウェイトが、コンポーネントキャリア間、または、コンポーネントキャリア間およびアンテナポート間で、一様となるように電力スケーリングを行う電力スケーリング制御工程と、を具備するようにした。
【発明の効果】
【００３１】
本発明によれば、コンポーネントキャリア間でのアンテナポート数が異なる場合においても、コンポーネントキャリア間での電力差の増加を回避できるため、Ｄ／Ａコンバータのビット丸め誤差の影響を増加させずにできる。また、基地局（eNB）は複数アンテナポートから受信したＳＲＳ信号から、例えば、スループットを最大化する正しいprecodingウェイトのビームパターンが選択でき、その情報を端末に通知することができる。
【図面の簡単な説明】
【００３２】
【図１】複数アンテナ送信時のアンテナポート間での送信電力配分方法を示す図
【図２】キャリアアグリゲーションおよび複数アンテナ送信を併用する際の電力スケーリング方法を示す図
【図３】キャリアアグリゲーションおよび複数アンテナ送信を併用する際に、コンポーネントキャリア間でアンテナポート数が異なる場合の、非特許文献１および２の開示技術に基づく電力スケーリング方法を示す図
【図４】アンテナポート、物理アンテナおよびD/Aコンバータの関係を示す図
【図５】本発明の実施の形態に係る無線通信端末装置の構成を示すブロック図
【図６】１サブフレームの後端にＳＲＳを多重する構成を示す図
【図７】電力スケーリング方法１および２の概要を示す図
【図８】電力スケーリング方法３および４の概要を示す図
【発明を実施するための形態】
【００３３】
本発明は以下の点を利用することにより発明をなすに到った。すなわち、複数ＳＲＳを複数アンテナ（ポート）から送信する際において、ＣＣ毎にＳＲＳ送信に用いるアンテナポート数、又は、位置、又は、番号などの設定（configuration）情報は、ｅＮＢから端末に、伝送誤り確率の極めて低い上位レイヤ（例えば、ＲＲＣ（Radio Resource Control））のシグナリングを用いてsemi-statisticに通知される。このため、ｅＮＢ及び各ＵＥ間で、ＣＣ毎のＳＲＳ送信に用いるアンテナポート数、又は、位置、又は、番号等の設定（configuration）情報を事前に認識できる。
【００３４】
以下、本発明の実施の形態について、図面を参照して詳細に説明する。
【００３５】
（実施の形態）
図５は、本発明の実施の形態に係る無線通信端末装置（以下、「端末」という）１００の構成を示すブロック図である。以下、図５を用いて端末１００の構成について説明する。
【００３６】
無線受信処理部１０２は、基地局（ｅＮＢ）から送信されたＯＦＤＭ（Orthogonal Frequency Division Multiplexing）信号をアンテナ１０１−１〜１０１−Ｍから受信し、受信したＯＦＤＭ信号にダウンコンバート、Ａ／Ｄ変換等の所定のＲＦ（Radio Frequency）処理を施してＯＦＤＭ復調部１０３に出力する。
【００３７】
ＯＦＤＭ復調部１０３は、無線受信処理部１０２から出力されたＯＦＤＭ信号のガードインターバル（ＧＩ）を除去し、ＧＩを除去したＯＦＤＭ信号に対して離散フーリエ変換（ＤＦＴ：Discrete Fourier Transform）を施して周波数領域信号に変換する。次に、ＯＦＤＭ復調部１０３は、周波数領域の各成分に対して、周波数領域等化（ＦＤＥ：Frequency-domain Equalization）を施し、信号の歪を取り除き、復調部１０４に出力する。
【００３８】
復調部１０４は、ＯＦＤＭ復調部１０３から出力された信号に対して、ＱＰＳＫ、１６ＱＡＭ（QuadratureAmplitude Modulation）等の変調方式に対する所定の復調処理を施してチャネル復号部１０５に出力する。
【００３９】
チャネル復号部１０５は、復調部１０４から出力された信号に、ターボ符号化、畳み込み符号化等の誤り訂正符号化に対する復号処理（繰り返しＭＡＰ復号、ビタビ復号）を施して制御情報抽出部１０６に出力する。
【００４０】
制御情報抽出部１０６は、チャネル復号部１０５から出力された信号から、ＵＬグラント（UL grant）情報（割当帯域幅、ＭＣＳセット、ＰＵＳＣＨやＳＲＳやＰＵＣＣＨ等の送信電力情報（TPC command、ＭＣＳ等の送信フォーマット既存値ΔTF等、ＳＲＳ用のオフセット値PSRS_offset）、アペリオディックＳＲＳトリガー情報など）、ＤＬグラント（DL grant）情報（ＰＵＣＣＨ等の送信電力情報、アペリオディックＳＲＳトリガー情報など）、ＵＣＩ要求（トリガー）情報、Ｐｃｅｌｌ／Ｓｃｅｌｌ、ＰＣＣ／ＳＣＣなどのＣＣ／ｃｅｌｌ情報、また、上位レイヤにおける制御情報などに含まれる、ＣＣ（ｃｅｌｌ）毎のＳＲＳ送信に用いるアンテナポート数、または、アンテナポート位置、または、アンテナポート番号等のＳＲＳ送信に関する設定制御情報など、を抽出して送信電力計算部１０７および電力スケーリング制御部１０９に出力する。
【００４１】
送信電力計算部１０７は、制御情報抽出部１０６から出力された制御情報、ＣＣ個別（各ＵＬチャネル）最大送信電力（ＰＡのパワクラス、ＭＰＲ等)、パスロス（推定値）情報、上位層での送信電力関連通知情報（パスロス補償係数、Ｐ＿ｏ(ターゲット受信レベル値)等）などを用いて、複数ＵＬチャネル（ＣＣ毎）の送信電力を計算する（例えば、CC毎の、複数アンテナから送信する複数SRSの総送信電力を計算する）。具体的な計算方法は、非特許文献３に記載のＰＵＳＣＨ、ＰＵＣＣＨ及びＳＲＳの送信電力計算式などを用いる。送信電力計算部１０７は、複数ＵＬチャネル（ＣＣ毎）の送信電力値を電力スケーリング検出部１０８及び電力スケーリング制御部１０９に出力する。
【００４２】
電力スケーリング検出部１０８は、送信電力計算部１０７から出力された複数ＵＬチャネルの送信電力値（例えば、複数アンテナから送信する複数SRSに用いる各CCの総送信電力）から複数ＣＣ（全ＵＬチャネル）の総送信電力を計算し、計算した総送信電力と、入力されるＵＥ固有の最大送信電力（Ｐｃｍａｘ）との比較を行う。総送信電力がＵＥ固有の最大送信電力より小さければ、「電力スケーリングの必要なし」という制御情報を電力スケーリング制御部１０９に出力する。逆に、総送信電力がＵＥ固有の最大送信電力より大きければ、「電力スケーリングの必要あり」という制御情報を電力スケーリング制御部１０９に出力する。
【００４３】
電力スケーリング制御部１０９では、電力スケーリング検出部１０８から出力された電力スケーリング発生の有無情報「電力スケーリングの必要なし、または、あり」に従って、「電力スケーリングの必要あり」の場合は、制御情報抽出部１０６から入力される、ＣＣ（ｃｅｌｌ）毎のＳＲＳ送信に用いるアンテナポート数、または、アンテナポート位置、または、アンテナポート番号等のＳＲＳ送信に関する制御情報を用いて、各ＵＬチャネル（ＳＲＳ、ＰＵＳＣＨ、ＰＵＣＣＨなど）に対して送信電力のスケーリングを行い、複数アンテナ（ポート）および複数ＣＣから送信する、複数ＵＬチャネルの送信電力を決定する。電力スケーリング後の送信電力情報を送信処理ブロック部１１６−１の送信電力設定部１１２−１〜１１２−Ｎに出力する（同様に、送信処理ブロック部１１６−２〜１１６−Ｍの送信電力設定部（図示せず）に対しても、同様に出力する）。なお、ＳＲＳの電力スケーリング方法の詳細は後述する。
【００４４】
符号化及び変調部１１０−１〜１１０−Ｎは、入力されるＣＣ毎のトランスポートブロック（ＴＢ：Transport Block）に対して、ターボ符号化等の誤り訂正符号化及びＱＰＳＫや１６ＱＡＭ等の所定の変調処理を施して多重部１１１−１〜１１１−Ｎに出力する。
【００４５】
多重部１１１−１〜１１１−Ｎは、入力されるピリオディックＳＲＳ（上位層の制御情報によってトリガーされた場合）、または、アペリオディックＳＲＳ（物理層の制御チャネルのＰＤＣＣＨによってトリガーされた場合）を変調シンボル系列に多重して送信電力設定部１１２−１〜１１２−Ｎに出力する。ＬＴＥ（ＬＴＥ−Ａ）では、図６（ＰＵＳＣＨにＳＲＳを時間多重する場合）に示すように、１４ＳＣ−ＦＤＭＡシンボルから構成される１サブフレームの最終シンボルだけにＳＲＳが多重されるため、そのような時間軸多重が行えるようにＳＲＳを変調シンボルの後端に多重する。なお、図６では、１サブフレームの中心部分に３シンボル程復調用参照信号（ＤＭＲＳ：DeModulationReference Symbol）が多重されている場合を示している。
【００４６】
送信電力設定部１１２−１〜１１２−Ｎは、電力スケーリング制御部１０９から出力された複数ＵＬチャネル（ＣＣ）毎の送信電力情報を用いて、各ＵＬチャネル（ＳＲＳ、ＰＵＳＣＨ、ＰＵＣＣＨなど）の送信電力を設定してＳＣ−ＦＤＭＡ（Single Carrier Frequency Division Multiple Access）変調部１１３−１〜１１３−Ｎに出力する。
【００４７】
ＳＣ−ＦＤＭＡ変調部１１３−１〜１１３−Ｎは、送信電力設定部１１２−１〜１１２−Ｎから出力された送信電力設定後のシンボル系列に対して、ＤＦＴを施すことにより、ＤＦＴプレコーディングを行う。そして、ｅＮＢから指示された所定の周波数リソースにＤＦＴプレコーディング信号をマッピングした後、ＩＤＦＴで時間領域信号に変換する。最後に、ガードインターバルを付加して合成部１１４に出力する。
【００４８】
合成部１１４は、ＳＣ−ＦＤＭＡ変調部１１３−１〜１１３−Ｎから出力された複数のＳＣ−ＦＤＭＡ信号を合成し、無線送信処理部１１５に出力する。
【００４９】
無線送信処理部１１５は、合成部１１４から出力された信号にＤ／Ａ変換、増幅処理、アップコンバート等の所定のＲＦ処理を施し、アンテナ１０１−１より送信する。
【００５０】
上記では、無線処理ブロック部１１６−１における、符号化及び変調部１１０−１〜１１０−Ｎから無線送信処理部１１５までの一連の処理過程を示したが、同様の処理を、無線処理ブロック部１１６−２〜１１６−Ｍにおいても行う。
【００５１】
次に、複数ＳＲＳ同時送信時のＳＲＳに対する電力スケーリング方法１〜４について説明する。
【００５２】
＜電力スケーリング方法１＞
電力スケーリング方法１では、まず、送信電力計算部１０７において、複数ＣＣおよび複数アンテナポートの複数ＵＬチャネルの送信電力を計算する。
【００５３】
次に、電力スケーリング検出部１０８において、複数ＣＣおよび複数アンテナポートで送信されるＵＬチャネルの送信電力合計値がＵＥ固有の最大送信電力を超えるか否か（電力スケーリングが発生するか否か）を検出する。
【００５４】
次に、電力スケーリング制御部１０９において、複数ＣＣ間で参照信号の送信に設定されているアンテナポートを用いて、複数（ピリオディック又はアペリオディック）ＳＲＳを同時送信する場合において、電力スケーリングが発生した場合には、ＣＣ間でＳＲＳの送信に設定されているアンテナポート数に基づいて、複数アンテナ送信のためのスケーリングウェイトを加味したトータルのスケーリングウェイトが、コンポーネントキャリア間、または、コンポーネントキャリア間およびアンテナポート間で、一様となるように電力スケーリングを行う。
【００５５】
図７に、電力スケーリング方法１の概要を示す。図７では、ＣＣ数＝２（ＣＣ＃０〜ＣＣ＃１）の場合において、基地局から（上位レイヤシグナリングで）通知される制御信号により、ＣＣ＃０では２アンテナポート（アンテナポート番号＃２０および＃２１）がＳＲＳの送信にconfigureされており、ＣＣ＃１では１アンテナポート（アンテナポート番号＃１０）が複数ＳＲＳの送信にconfigureされている場合を示している。例えば、１サブフレームの最終シンボル位置（図６）において、２つのＣＣからトータルで３つのＳＲＳだけを送信している。このような状況下において、２ＣＣで送信される３つのＳＲＳチャネルの送信電力合計値がＵＥ固有の最大送信電力を超えた場合、ＣＣ間でＳＲＳの送信に設定されているアンテナポート数に基づいて、複数アンテナ送信のためのウェイト(ｗ＿Ａ）を加味したトータルのスケーリングウェイト（ｗ＿Ｃ×ｗ＿Ａ）が、コンポーネントキャリア間およびアンテナポート間で一様となるように、アンテナ間のスケーリングウェイトｗ＿Ａ（例えば、ｗ＿Ａ＝１／３）と設定し、ＣＣ＃０から送信される２つのＳＲＳおよびＣＣ＃１から送信される１つのＳＲＳの送信電力のスケーリングを行う動作を示している。
【００５６】
これにより、コンポーネントキャリア間でのアンテナポート数が異なる場合においても、コンポーネントキャリア間での電力差の増加を回避できるため、Ｄ／Ａコンバータのビット丸め誤差の影響を増加させずにできる。また、基地局（eNB）は複数アンテナポートから受信したＳＲＳ信号から、例えば、スループットを最大化する正しいprecodingウェイトのビームパターンが選択でき、その情報を端末に通知することができる。
【００５７】
また、複数ＣＣのＳＲＳ信号を１つの電力増幅器（ＰＡ：Power Amplifier）で増幅する端末構成の場合、上記従来技術のように、ＣＣ間でのＳＲＳの送信電力に対する電力スケーリングウェイトが異なると、１ＰＡ内でＣＣ（周波数帯域）間で異なる増幅率に設定しなければならなくなり、装置構成が非常に複雑になる。一般に、ＣＣ（周波数帯域）間で増幅率（電力スケーリングウェイト）が異なる場合には、ＣＣ（周波数帯域）毎にＰＡを設定する必要がある。即ち、複数のＰＡを備えないと上記従来技術の電力スケーリングをＲＦ帯で行うことができない。しかしながら、上記発明を用いることにより、１つのＰＡを用いて、ＣＣ間での１つの増幅率でＲＦ帯での簡易な電力スケーリング制御が行うことができる。
【００５８】
また、全ＣＣの全アンテナポートのSRSに対して同一の電力スケーリングウェイトを適用することにより、異なるＰＡで同一の増幅率に設定できるため、つまり、簡易な共通ＰＡ制御を行うことができる。例えば、図７において、ＣＣ＃０のアンテナポート＃２０のＳＲＳとＣＣ＃１のアンテナポート＃１０のＳＲＳをＰＡ＃０で増幅し、ＣＣ＃０のアンテナポート＃２１のＳＲＳをＰＡ＃１で増幅する端末構成の場合、ＰＡ＃０とＰＡ＃１で共通の増幅率に設定すればよい。
【００５９】
＜電力スケーリング方法２＞
上記の電力スケーリング方法１において、複数アンテナ送信のためのスケーリングウェイトを加味したトータルのスケーリングウェイトが、コンポーネントキャリア間およびアンテナポート間で一様となるように、アンテナポート間のスケーリングウェイトを、ｗ＿Ａ＝１／（ＳＲＳ送信にconfigureされている全ＣＣおよび全アンテナポートのＳＲＳ数）と設定し、全ＳＲＳに上記スケーリングウェイトを適用することを特徴とする。
【００６０】
図７に、電力スケーリング方法２の概要を示す。図７では、ＣＣ数＝２（ＣＣ＃０〜ＣＣ＃１）の場合において、基地局から（上位レイヤシグナリングで）通知される制御信号により、ＣＣ＃０では２アンテナポート（アンテナポート番号＃２０および＃２１）がＳＲＳの送信にconfigureされており、ＣＣ＃１では１アンテナポート（アンテナポート番号＃１０）が複数ＳＲＳの送信にconfigureされている場合を示している。例えば、１サブフレームの最終シンボル位置（図６）において、２つのＣＣからトータルで３つのＳＲＳだけを送信している。このような状況下において、２ＣＣで送信される３つのＳＲＳチャネルの送信電力合計値がＵＥ固有の最大送信電力を超えた場合、ＣＣ間でＳＲＳの送信に設定されているアンテナポート数に基づいて、複数アンテナ送信のためのウェイト(ｗ＿Ａ）を加味したトータルのスケーリングウェイト（ｗ＿Ｃ×ｗ＿Ａ）が、コンポーネントキャリア間およびアンテナポート間で一様となるように、アンテナポート間のスケーリングウェイトｗ＿Ａ＝１／（ＳＲＳ送信にconfigureされている全ＣＣおよび全アンテナポートのＳＲＳ数）＝１／３と設定している。そして、そのウェイトを、ＣＣ＃０から送信される２つのＳＲＳおよびＣＣ＃１から送信される１つのＳＲＳの全ＳＲＳの送信電力のスケーリングに用いている。
【００６１】
これにより、上記電力スケーリング方法１の効果に加えて、ＣＣ間での送信電力差の増加を避けつつ、ＣＣ間での送信電力差の全ＳＲＳでの平均２乗和を最小にすることができる。以下に、上記の導出過程を示す。
【００６２】
各ＳＲＳのスケーリングウェイトｋｍ、ｎ (ｍ=Ｍ-1, ｎ=０〜Ｎｍ−１)による、ＣＣ間での送信電力差の増加を避けることを考える。そして、「全ＳＲＳのスケーリングウェイトｋｍ、ｎの総和を一定（＝１）に保つ」いう条件下で、「ＣＣ間での送信電力差の、全ＳＲＳでの平均２乗和を最小」にすることを考える。即ち、定式化すると次式のように表現できる。
【数１】
2012093455.tif 000003
【００６３】
ここで、ＭはＣＣ数、Ｎｍは第ｍＣＣのＳＲＳアンテナポート数、Ｐｍは第ｍＣＣのＳＲＳ総送信電力、ｘ＝０〜Ｍ−１である。
【００６４】
ラグランジェ未乗数法（およびＣＣ間での平均送信電力は同一という仮定）より、以下のように導出することができる。
【数２】
2012093455.tif 000004
【００６５】
上記したように、電力スケーリング方法２を用いることにより、上記電力スケーリング方法１の効果に加えて、ＣＣ数が３以上の場合においても、ＣＣ間での送信電力差が大きくなることを回避することができる。
【００６６】
＜電力スケーリング方法３＞
電力スケーリング方法３では、電力スケーリング制御部１０９において、ＣＣ毎に設定されているＳＲＳの送信に用いるアンテナポート位置（番号）の情報に基づいて、ＳＲＳを同時送信しているアンテナポート（または、アンテナポート番号、または、物理アンテナ）に対してだけ、複数アンテナ送信のためのスケーリングウェイトを加味したトータルの一様スケーリングウェイトを適用することで、電力スケーリングを行うことを特徴とする。
【００６７】
図８に、電力スケーリング方法３の概要を示す。図８では、ＣＣ数＝２（ＣＣ＃０〜ＣＣ＃１）の場合において、基地局から（上位レイヤシグナリングで）通知される制御信号により、ＣＣ＃０では２アンテナポート（アンテナポート番号＃２０および＃２１）がＳＲＳの送信にconfigureされており、ＣＣ＃１では１アンテナポート（アンテナポート番号＃１０）が複数ＳＲＳの送信にconfigureされている場合を示している。例えば、１サブフレームの最終シンボル位置（図６）において、２つのＣＣからトータルで３つのＳＲＳを送信している。このような状況下において、２ＣＣで送信される３つのＳＲＳチャネルの送信電力合計値がＵＥ固有の最大送信電力を超えた場合、ＣＣ毎にＳＲＳの送信に設定されているアンテナポート位置（番号）に基づいて、複数アンテナ送信のためのウェイト(ｗ＿Ａ）を加味したトータルの一様スケーリングウェイト（ｗ＿Ｃ×ｗ＿Ａ）を、ＳＲＳを同時送信しているアンテナポート（または、アンテナポート番号、または、物理アンテナ）に対して適用する。図７では、ｗ＿Ａ＝１／２と設定している（この設定方法は、電力スケーリング方法４で詳述する）。
【００６８】
これにより、電力スケーリングによってＳＲＳ測定精度が劣化するアンテナポート数を低減することができる。電力スケーリングを行うと、基地局がＳＲＳでのチャネル品質測定精度を満たすように、適当に制御されていたＳＲＳの送信電力を満たさなくなる可能性が高くなるため、ＳＲＳの測定精度を満たすためには、電力スケーリングを適用するＳＲＳ数はできるだけ少ないことが望ましい。図７と図８を比較すると明らかなように、図８の場合は３つのＳＲＳを同時送信している場合において全てのＳＲＳに対して電力スケーリングを行う一方で、電力スケーリング方法３を示す図７では、同時送信が発生しているアンテナポート（物理アンテナ）に対してだけ電力スケーリングを行うため、２つのＳＲＳに対してだけ電力スケーリングを適用する。
【００６９】
更に、複数ＣＣを１つのＰＡでカバーしている場合は、ＳＲＳの同時送信が発生しているアンテナポート（物理アンテナ）に対応するＰＡでは、１つの増幅率でＲＦ帯での簡易な電力制御が行うことができ、上記と同様の効果を得ることができる。
【００７０】
＜電力スケーリング方法４＞
上記の電力スケーリング方法３において、複数アンテナ送信のためのスケーリングウェイトを加味したトータルのスケーリングウェイトが、ＳＲＳを同時送信しているアンテナポート（または、アンテナポート番号、または、物理アンテナ）で一様となるように、アンテナポート間のスケーリングウェイトを、ｗ＿Ａ＝１／（該当アンテンポート、または、該当物理アンテナでのＳＲＳの送信に設定されているＳＲＳ数）と設定し、該当ＳＲＳに上記スケーリングウェイトを適用することを特徴とする。
【００７１】
図８に、電力スケーリング方法４の概要を示す。図８では、ＣＣ数＝２（ＣＣ＃０〜ＣＣ＃１）の場合において、基地局から（上位レイヤシグナリングで）通知される制御信号により、ＣＣ＃０では２アンテナポート（アンテナポート番号＃２０および＃２１）がＳＲＳの送信にconfigureされており、ＣＣ＃１では１アンテナポート（アンテナポート番号＃１０）が複数ＳＲＳの送信にconfigureされている場合を示している。例えば、１サブフレームの最終シンボル位置（図６）において、２つのＣＣからトータルで３つのＳＲＳだけを送信している。このような状況下において、２ＣＣで送信される３つのＳＲＳチャネルの送信電力合計値がＵＥ固有の最大送信電力を超えた場合、ＣＣ間でＳＲＳの送信に設定されているアンテナポート位置および数に基づいて、複数アンテナＳＲＳ送信のためのスケーリングウェイト(ｗ＿Ａ）を加味したトータルのスケーリングウェイト（ｗ＿Ｃ×ｗ＿Ａ）が、コンポーネントキャリア間およびアンテナポート間で一様となるように、アンテナポート間のスケーリングウェイトｗ＿Ａ＝１／（該当アンテンポート、または、該当物理アンテナでのＳＲＳの送信に設定されているＳＲＳ数）＝１／２と設定している。そして、そのウェイトを、該当アンテンポートである、ＣＣ＃０のアンテナポート＃２０およびＣＣ＃１のアンテナポート＃１０のＳＲＳから送信されるＳＲＳの送信電力のスケーリングに用いている。
【００７２】
これにより、上記電力スケーリング方法３の効果に加えて、同時送信ＳＲＳが存在する該当アンテナポートでのＣＣ間での送信電力差の増加を避けつつ、ＣＣ間での送信電力差の、該当アンテナポートでの平均２乗和を最小にすることができる。以下に、上記の導出過程を示す。
【００７３】
同時送信ＳＲＳが存在するアンテナポートでの、スケーリングウェイトｋｍ(ｍ=Ｍ-1)によって、ＣＣ間での送信電力差の増加を避けることを考える。そして、「同時送信ＳＲＳスケーリングウェイトｋｍの総和を一定（＝１）に保つ」いう条件下で、「ＣＣ間での送信電力差の、該当アンテナポートでの平均２乗和を最小」にすることを考える。即ち、定式化すると次式のように表現できる。
【数３】
2012093455.tif 000005
【００７４】
ここで、ＭはＣＣ数、Ｐｍは第ｍＣＣのＳＲＳ総送信電力、ｘ＝０〜Ｍ−１である。
【００７５】
ラグランジェ未乗数法（ＣＣ間での平均送信電力は同一という仮定）より、以下のように導出することができる。
【数４】
2012093455.tif 000006
【００７６】
上記したように、電力スケーリング方法４を用いることにより、上記電力スケーリング方法３の効果に加えて、ＣＣ数が３以上の場合においても、ＣＣ間での送信電力差が大きくなることを回避することができる。
【００７７】
なお、上記各電力スケーリング方法を、別のＵＬチャネル（ＰＵＳＣＨ，ＰＵＣＣＨ，ＤＭＲＳ等)を複数同時に送信する場合に適用してもよい。特に、低遅延での伝送が求められ、再送が適用されない、重要な制御情報を伝送するのに用いられる物理制御チャネル（ＰＵＣＣＨ）や、同様にＳＲＳと同様に伝搬路を推定に用いる参照信号（ＤＭＲＳ：Demodulation Reference Signal）やパイロット信号に適用してもよい。
【００７８】
これにより、上記と同様に、Ｄ／Ａコンバータのビット丸め誤差が大きくなることが回避できるため、制御情報、参照信号、パイロット信号を高精度に伝送することができる。
【００７９】
また、Periodic SRS または（かつ）aperiodic SRSの同時送信が発生した場合に対して、上記一様スケーリングを適用してもよい。
【００８０】
また、上記各電力スケーリング方法を、ＣＣ毎のアンテナポート数が同じ場合に適用してもよい。これにより、（上記した異なる場合に加えて）同じ場合も上記と同様の効果が得られる。
【００８１】
また、上記各電力スケーリング方法を、ＣＣ間で設定されているＳＲＳアンテナポート数が異なる場合にだけ適用してもよい。即ち、ＣＣ間で設定されているＳＲＳアンテナポート数が異なることをトリガーとして、上記各電力スケーリング方法を適用してもよい。
【００８２】
また、上記各電力スケーリング方法において、一様スケーリングによる送信電力低減量が所定値以上（低減後の送信電力が所定値以下）の場合、そのＳＲＳをドロップ（送信しない、送信電力＝ゼロに設定）してもよい。これにより、ビット丸め誤差の影響を回避できない場合においては、無駄な消費電力を回避できる。
【００８３】
また、上記では、ＣＣ間の場合について説明したが、ＣＣ内の複数ＳＲＳに上記方法を適用してもよい。
【００８４】
なお、上記実施の形態において、コンポーネントキャリア（ＣＣ：Component Carrier）という周波数の基本単位（バンド）に基づいて、説明したが、それに限らず、その周波数単位は異なるものであってもよい。例えば、周波数の基本単位は、キャリア、サブキャリア、複数のサブキャリアから構成されるサブバンドなど定義されてもよい。
【００８５】
また、Component Carrierは物理セル番号とキャリア周波数番号で定義されてもよく、セルと呼ばれることもある。
【００８６】
また、上記実施の形態において、アンテナポート（数）は物理アンテナ（数）で定義されてもよい。
【００８７】
また、上記実施の形態において、コンポーネントキャリア間の電力スケーリングウェイトｗ＿Ｃは、基地局から上位レイヤのシグナリング等を用いて通知された値であってもよいし、端末が個別に設定した値であってもよい。
【００８８】
また、上記各電力スケーリング方法を組み合わせて使用してもよい。
【００８９】
上記実施の形態では、本発明をハードウェアで構成する場合を例にとって説明したが、本発明はハードウェアとの連係においてソフトウェアでも実現することも可能である。
【００９０】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９１】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００９２】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００９３】
なお、上記実施の形態ではアンテナとして説明したが、本発明はアンテナポート（antenna port）でも同様に適用できる。
【００９４】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【００９５】
例えば3GPP LTEにおいては、アンテナポートが何本の物理アンテナから構成されるかは規定されず、基地局が異なる参照信号（Reference signal）を送信できる最小単位として規定されている。
【００９６】
また、アンテナポートはプリコーディングベクトル（Precoding vector）の重み付けを乗算する最小単位として規定されることもある。
【産業上の利用可能性】
【００９７】
２０１１年１月７日出願の特願２０１１−００２２８５の日本出願に含まれる明細書、図面および要約書の開示内容は、すべて本願に援用される。【００９８】
本発明は、ＬＴＥ−Ａなどの移動通信システム等に適用できる。
【符号の説明】
【００９９】
１０１−１〜１０１−Ｍ  アンテナ
１０２  無線受信処理部
１０３  ＯＦＤＭ復調部
１０４  復調部
１０５  チャネル復号部
１０６  制御情報抽出部
１０７  送信電力計算部
１０８  電力スケーリング検出部
１０９  電力スケーリング制御部
１１０−１〜１１０−Ｎ  符号化及び変調部
１１１−１〜１１１−Ｎ  多重部
１１２−１〜１１２−Ｎ  送信電力設定部
１１３−１〜１１３−Ｎ  ＳＣ−ＦＤＭＡ変調部
１１４  合成部
１１５  無線送信処理部
１１６−１〜１１６−Ｍ  送信処理ブロック部
【図１】
2012093455.tif 000007
【図２】
2012093455.tif 000008
【図３】
2012093455.tif 000009
【図４】
2012093455.tif 000010
【図５】
2012093455.tif 000011
【図６】
2012093455.tif 000012
【図７】
2012093455.tif 000013
【図８】
2012093455.tif 000014
【国際調査報告】
2012093455.tif 000015
2012093455.tif 000016